【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
上面、下面、前面開口部、背面開口部、前記前面及び背面開口部の間に延長する第１及び第２側面を含むシャーシであって、複数の取り付け位置を定義しているシャーシと、
前記取り付け位置の中の１つのものにおいて前記前面開口部を通じて前記シャーシ内に摺動自在に受け入れられるべく構成されたモジュールであって、前記前面開口部を通じて前記シャーシから着脱自在であるモジュールと、
前記モジュールから分離しているアダプタアセンブリであって、少なくとも１つのアダプタを定義しており、前記取り付け位置の中の少なくとも１つのものにおいて前記背面開口部を通じて前記シャーシ内に摺動自在に受け入れられるべく構成されており、前記背面開口部を通じて前記シャーシから着脱自在であるアダプタアセンブリと、
を有しており、
前記モジュールは、前記モジュールから突出しており前記モジュールが前記シャーシ内に挿入された際に、前記アダプタアセンブリの前記アダプタに挿入されるべく適合された少なくとも１つのコネクタを含んでいる、通信アセンブリ。
【請求項２】
前記シャーシは、前記アダプタアセンブリのアダプタの前面端部からの光を遮断するための柔軟なシールドを含んでおり、前記シールドは、動作位置と非動作位置の間において移動可能であり、前記シールドは、前記モジュールが前記シャーシ内に摺動自在に挿入された際に、前記モジュールによって前記動作位置から前記非動作位置に移動されるべく構成されている請求項１記載の通信アセンブリ。
【請求項３】
前記モジュールのコネクタは、前記モジュールが前記シャーシ内に挿入された際に、前記シールドに接触し、これを前記動作位置から前記非動作位置に移動させる請求項２記載の通信アセンブリ。
【請求項４】
それぞれの取り付け位置は、前記シャーシ内に前記モジュールを保持するべく前記摺動自在なモジュールとの間にスナップフィット接続を形成する前面留め金を含んでいる請求項１記載の通信アセンブリ。
【請求項５】
前記モジュールは、その内部に取り付けられた後に前記シャーシ内において既定量の水平フローティングを含んでおり、この場合に、前記モジュールは、その内部に取り付けられた後に前記シャーシ内において既定の距離だけ水平に移動可能である請求項１記載の通信アセンブリ。
【請求項６】
それぞれの取り付け位置は、前記シャーシ内において前記アダプタアセンブリを保持するべく前記アダプタアセンブリの取り付け留め具を受け入れるための開口部を有する背面を含む請求項１記載の通信アセンブリ。
【請求項７】
前記アダプタアセンブリは、その内部に取り付けられた後に前記シャーシとの関係において既定量の水平フローティングを含んでおり、この場合に、前記アダプタアセンブリは、その内部に取り付けられた後に前記シャーシとの関係において既定の距離だけ水平に移動可能である請求項６記載の通信アセンブリ。
【請求項８】
前記シャーシは、８個のモジュール及び８個のアダプタアセンブリを収容するべく構成されている請求項１記載の通信アセンブリ。
【請求項９】
複数の一体形成されたアダプタを定義しているハウジングであって、上面、下面、及び前記上面及び前記下面の間において延長する第１及び第２側面を定義しており、前記アダプタアセンブリを一台の通信装置内に摺動自在にガイドするべく前記ハウジングの前記上面に取り付けスライドを含むハウジングを有する光ファイバアダプタアセンブリであって、
前記取り付けスライドは、水平ガイド部分及び垂直ガイド部分を含んでおり、前記取り付けスライドは、取り付け留め具を保持するためのフランジを含んでおり、前記取り付け留め具は、前記ハウジングの前面から前記ハウジングの背面に向かう方向において延長しており、前記取り付け留め具は、前記取り付け留め具の長手方向の軸を中心として前記ハウジングとの関係において回転可能であり、且つ、前記ハウジングの前記前面と前記背面の間に延長する方向において前記ハウジングとの関係において移動可能であり、
前記ハウジングのそれぞれのアダプタは、第１光ファイバコネクタを受け入れるための前面開口部と、前記第１光ファイバコネクタとメーティングするべく適合された第２光ファイバコネクタを受け入れるための背面開口部と、フェルールアライメントスリーブ及び内部ハウジング半体を受け入れるための側面開口部を含んでおり、
前記ハウジングは、前記アダプタ内において前記フェルールアライメントスリーブ及び前記内部ハウジング半体を保持するべく前記アダプタの前記側面開口部を閉鎖するパネルを含んでいる、光ファイバアダプタアセンブリ。
【請求項１０】
前記取り付け留め具は、つまみねじである請求項９記載の光ファイバアダプタアセンブリ。
【請求項１１】
前記アダプタアセンブリは、２つの一体形成されたアダプタを含む請求項９記載の光ファイバアダプタアセンブリ。
【請求項１２】
上面、下面、前面開口部、及び背面開口部、及び前記前面及び前記背面開口部の間において延長する第１及び第２側面を有する通信シャーシを使用する方法であって、前記シャーシは、複数の取り付け位置を定義しており、
（ａ）前記取り付け位置の中の１つのものにおいて前記背面開口部を通じて前記シャーシ内に少なくとも１つの光ファイバアダプタを定義するアダプタアセンブリを摺動自在に挿入する段階と、
（ｂ）分離したモジュールであって、光ファイバスプリッタ及び前記モジュールから突出する少なくとも１つの光ファイバコネクタを含むモジュールを前記取り付け位置の中の１つのものにおいて前記前面開口部を通じて前記シャーシ内に摺動自在に挿入することにより、前記シャーシの前記背面において前記モジュールの前記光ファイバコネクタを前記アダプタアセンブリのアダプタに挿入する段階と、
を有する方法。
【請求項１３】
突出するフランジを含む上面及び下面、グリップ表面を含む第１及び第２側面、前面接続面、及び柔軟なブーツを有する背面光ファイバケーブル終端面を有するハウジングを含む光ファイバコネクタと共に使用するグリップ拡張部であって、
開放した前面端部、開放した背面端部、上面、下面、及び前記前面及び背面端部の間に延長する第１及び第２側面を含む細長い本体を有しており、
前記第１及び第２側面は、前記前面端部に隣接して２つの対向する柔軟なカンチレバーアームを定義しており、前記上面及び前記下面は、前記前面端部に隣接して２つの対向する柔軟なカンチレバーアームを定義しており、
前記２つのカンチレバーアームは、前記コネクタハウジングの前記側面の前記グリップ表面に係合するための内側に突出するタブを含む前記側面によって定義されており、
前記２つのカンチレバーアームは、前記コネクタハウジングの前記上面及び下面の前記突出フランジを受け入れるためのスロットを含む前記上面及び下面によって定義されており、
前記グリップ拡張部は、前記背面端部に隣接してグリップ表面を含んでおり、この場合に、前記グリップ拡張部は、スナップフィット接続によって前記コネクタハウジングに結合されるべく構成されており、この場合に、前記グリップ拡張部は、前記開放した背面端部を通じて前記コネクタの前記柔軟なブーツを収容するべく構成されている、グリップ拡張部。
【請求項１４】
前記下面は、前記グリップ拡張部が前記コネクタハウジングに結合された際に、前記コネクタの前記ブーツの下方への曲げを収容するための開放部分を含む請求項１３記載のグリップ拡張部。
【請求項１５】
前記前面端部に隣接した前記カンチレバーアームのすべては、外側に曲がって前記コネクタハウジングを受け入れる請求項１３記載のグリップ拡張部。
【請求項１６】
通信アセンブリと共に使用するダストキャップ／試験ツールの組み合わせであって、
前面端部、背面端部、上面、下面、及び第１及び第２側面を含む本体であって、前記上面に隣接した長手方向のガイドフランジと前記下面に隣接した長手方向のガイドフランジを定義している本体と、
前記前面端部に隣接して提供された少なくとも１つの光ファイバコネクタホルダと、
前記背面端部に隣接して提供された光ファイバアダプタ内に受け入れられるべく適合された少なくとも１つの光ファイバダストプラグと、
を有しており、
この場合に、前記ダストキャップ／試験ツールの組み合わせは、２つの異なる向きの中の１つにおいて通信シャーシ内に摺動自在に挿入可能であり、この場合に、第１の向きにおいては、前記前面端部が前記シャーシ内に最初に挿入され、且つ、この場合に、第２の向きにおいては、前記背面端部が前記シャーシ内に最初に挿入される、ダストキャップ／試験ツールの組み合わせ。
【請求項１７】
前記本体は、前記前面端部に隣接するフィンガグリップと、前記背面端部に隣接するフィンガグリップを含む請求項１６記載のダストキャップ／試験ツールの組み合わせ。
【請求項１８】
前記本体は、前記前面端部に隣接する前記コネクタホルダから前記背面端部に隣接する前記ダストプラグに向かって延長するケーブル管理構造を定義している請求項１６記載のダストキャップ／試験ツールの組み合わせ。
【請求項１９】
前記本体は、略矩形であり、前記コネクタホルダ及び前記ダストプラグは、前記矩形の本体の対角線のコーナーに配置されている請求項１６記載のダストキャップ／試験ツールの組み合わせ。
【請求項２０】
前記コネクタホルダは、２つの光ファイバコネクタを収容しており、この場合に、前記ダストキャップ／試験ツールは、２つのダストプラグを含む請求項１６記載のダストキャップ／試験ツールの組み合わせ。
【請求項２１】
コネクタは、摺動自在に挿入可能であると共に、前記本体の前記コネクタホルダから着脱自在である請求項１６記載のダストキャップ／試験ツールの組み合わせ。
【請求項２２】
前記ダストプラグは、前記本体と一体形成されている請求項１６記載のダストキャップ／試験ツールの組み合わせ。
【請求項２３】
協働して内部空間を定義している第１側面、前面、背面、上面、及び下面を定義するメインハウジング部分を含むハウジングを有する通信モジュールであって、
前記メインハウジングは、前記背面から前記モジュールの外部に向かって延長する少なくとも１つの光ファイバコネクタを含んでおり、
前記メインハウジングは、前記モジュールの前記前面から前記モジュールの外部に向かって延長する少なくとも１つのケーブル出口を含んでおり、
前記モジュールは、前記メインハウジングの前記下面に隣接して前記モジュールの前記内部空間内に配置された光学コンポーネントを含んでおり、
前記モジュールは、前記コネクタと前記光学コンポーネントの間において延長するケーブルをガイドするべく前記モジュールの前記内部空間内に配置された第１ケーブル管理構造を含んでおり、
前記モジュールは、前記光学コンポーネントと前記ケーブル出口の間において延長するケーブルをガイドするべく前記モジュールの前記内部空間内に配置された第２ケーブル管理構造を含んでおり、
前記モジュールのハウジングは、前記メインハウジング部分の前記内部空間を閉鎖するべく前記メインハウジング部分に取り付けるためのカバー部分を含んでいる、通信モジュール。
【請求項２４】
前記メインハウジングの前記上面及び下面から延長する取り付けガイドフランジを更に含んでおり、前記上面における前記フランジは、前記下面における前記フランジとは異なるサイズである請求項２３記載の通信モジュール。
【請求項２５】
前記光学コンポーネントは、単一の到来信号を複数の同一の送出信号に分割する光ファイバスプリッタを含む請求項２３記載の通信モジュール。
【請求項２６】
前記メインハウジングの前記背面は、湾曲した部分を含んでおり、この場合に、前記第１ケーブル管理構造は、前記湾曲した部分に隣接して配置されたスプールを含む請求項２３記載の通信モジュール。
【請求項２７】
前記第１側面の内側と前記光学コンポーネントの間に配置されたチャネルを定義する第３ケーブル管理構造を更に含む請求項２３記載の通信モジュール。
【請求項２８】
前記光学コンポーネントは、第３ケーブル管理構造によって前記第１側面の内側からオフセットされている請求項２７記載の通信モジュール。
【請求項２９】
前記ハウジングは、一台の通信装置との間のスナップフィット接続を提供するべく前記メインハウジングの前記前面から延長する柔軟なカンチレバーアームを含む請求項２３記載の通信モジュール。
【請求項３０】
前記背面は、引っ込んだ部分を含んでおり、この場合に、前記コネクタは、前記背面の前記引っ込んだ部分に配置されている請求項２３記載の通信モジュール。
【請求項３１】
前記前面は、前記メインハウジングの前記上面及び下面に対して角度をなして配設されている請求項２３記載の通信モジュール。
【請求項３２】
前記メインハウジングは、前記光学コンポーネントから前記ケーブル出口に向かって延長するケーブルのクリンプされた端部を保持するべく前記ケーブル出口に隣接して配置されたクリンプホルダを含む請求項２３記載の通信モジュール。
【請求項３３】
協働して内部空間を定義している第１側面、前面、背面、上面、及び下面を定義するメインハウジング部分を含むハウジングを有する通信モジュールであって、
前記メインハウジングは、前記背面から前記モジュールの外部に向かって延長する少なくとも１つの光ファイバコネクタを含んでおり、
前記メインハウジングは、前記モジュールの前記前面から前記モジュールの外部に向かって延長する少なくとも１つのケーブル出口を含んでおり、
前記モジュールは、前記メインハウジングの前記下面に隣接して前記モジュールの前記内部空間内に配置された光学コンポーネントを含んでおり、
前記モジュールの前記ハウジングは、前記メインハウジング部分の前記内部空間を閉鎖するべく前記メインハウジング部分に取り付けるためのカバー部分を含んでおり、
前記モジュールの前記メインハウジング部分は、前記光学コンポーネントから前記ケーブル出口に延長するケーブルのクリンプされた端部を保持するべく前記ケーブル出口に隣接して配置されたクリンプホルダを含んでおり、前記クリンプホルダは、略前記カバーから前記メインハウジング部分の前記第１側面に延長する方向において積層方式においてケーブルのクリンプされた端部を摺動自在に受け入れるべく構成されている、通信モジュール。
【請求項３４】
前記コネクタから前記ケーブル出口に延長するケーブルをガイドするべく前記モジュールの前記内部空間内に配置されたケーブル管理構造を更に含む請求項３３記載の通信モジュール。
【請求項３５】
前記クリンプホルダは、ケーブルのクリンプされた端部を受け入れるためのスロットを定義している請求項３３記載の通信モジュール。
【請求項３６】
前記クリンプホルダは、９個のスロットを定義している請求項３５記載の通信モジュール。
【請求項３７】
それぞれのスロットは、４個のクリンプ要素を収容する請求項３６記載の通信モジュール。
【請求項３８】
前記光学コンポーネントは、単一の到来信号を複数の同一の送出信号に分割する光ファイバスプリッタを含む請求項３３記載の通信モジュール。
【請求項３９】
前記ハウジングは、一台の通信装置との間のスナップフィット接続を提供するべく前記メインハウジングの前記前面から延長する柔軟なカンチレバーアームを含む請求項３３記載の通信モジュール。
【請求項４０】
前記背面は、引っ込んだ部分を含んでおり、前記コネクタは、前記背面の前記引っ込んだ部分に配置されている請求項３３記載の通信モジュール。
【請求項４１】
前記前面は、前記メインハウジングの前記上面及び下面に対して角度をなして配設されている請求項３３記載の通信モジュール。
【請求項４２】
協働して内部空間を定義している第１側面、前面、背面、上面、及び下面を定義するメインハウジング部分を含むハウジングを有する通信モジュールであって、
前記メインハウジングは、前記背面から前記モジュールの外部に向かって延長する少なくとも１つの光ファイバコネクタを含んでおり、
前記メインハウジングは、前記モジュールの前記前面から前記モジュールの外部に向かって延長する少なくとも１つのケーブル出口を含んでおり、
前記モジュールは、前記メインハウジングの前記下面に隣接して前記モジュールの前記内部空間内に配置された光学コンポーネントを含んでおり、
前記モジュールの前記ハウジングは、前記メインハウジング部分の前記内部空間を閉鎖するべく前記メインハウジング部分に取り付けるためのカバー部分を含んでおり、
前記モジュールは、通信装置との間のスナップフィットを提供するべく前記メインハウジングの前記前面から前記モジュールの外部に向かって延長する柔軟なカンチレバーアームを含んでおり、前記モジュールは、前記柔軟なカンチレバーアームに隣接して前記メインハウジングの前記前面から前記モジュールの外部に向かって延長する固定されたグリップタブをも含んでいる、通信モジュール。
【請求項４３】
前記カンチレバーアームは、前記モジュールが一台の通信装置内に挿入された際に前記アームを偏向させるための傾斜したタブを含む請求項４２記載の通信モジュール。
【請求項４４】
前記カンチレバーアームは、前記モジュールの前記前面から前記背面に向かう方向において延長する前記モジュールの前記コネクタの線に略沿って位置している請求項４２記載の通信モジュール。